(57)【要約】【課題】被梱包物(4)の下部が収納される上方開放の下箱(2)と、被梱包物(4)の上部に上緩衝材(3)を介して被覆させる下方開放の上箱(1)とからなる梱包構造に関し、下箱(2)内に収納させた被梱包物(4)の上部に上緩衝材(3)を介在させながら上箱(1)を被嵌させる再梱包を容易とすること。【解決手段】上箱(1)の側面(13)の上端近傍の所定位置から内方へ突出する係止片(23)を設け、上緩衝材(3)の側面(32)に係止片(23)が差し込み可能な係止孔(33)を設け、係止片(23)を係止孔(33)に対して斜め上方に向かって差し込むことにより、上緩衝材(3)は、上箱(1)内にて、被梱包物(4)の上部に適正な姿勢で載置可能な状態に固定されるようにしたこと。【選択図】図１
2009274749.tif 000002
【特許請求の範囲】
【請求項１】
被梱包物の下部が収納される上方開放の下箱と、前記被梱包物の上部に上緩衝材を介して被覆させる下方開放の上箱とからなる梱包構造において、
前記上箱の側面の上端近傍の所定位置から前記上箱の内方へ突出する係止片が設けられ、
前記上緩衝材の側面に前記係止片が差し込み可能な係止孔が形成され、
前記係止片を前記係止孔に対して斜め上方に向かって差し込むことにより、前記上緩衝材は、前記上箱内にて、前記被梱包物の上部に適正な姿勢で載置可能な状態に固定されることを特徴とする梱包構造。
【請求項２】
請求項１に記載の梱包構造において、前記側面に略逆Ｕ字状の切込みが設けられ、前記係止片は、前記切込みで囲まれた範囲を内方へ押し込むことにより構成され、
前記係止片の下方の前記側面の所定位置に、略Ｕ字状の取手用切込みが設けられ、
前記取手用切込みで囲まれた範囲を内方へ押し込むことにより、前記上箱内に突出する爪片が構成され、
前記爪片は、前記係止片によって固定された状態にある前記上緩衝材を下方から支持可能としたことを特徴とする梱包構造。
【請求項３】
請求項２に記載の梱包構造において、前記上箱の天面は、前記上箱の前記側面の上端から折り曲げ部を介して延長させた複数のフラップ片を、前記折り曲げ部で内方に折り畳むことにより構成され、
前記フラップ片は、粘着テープの貼着によって折り畳み状態が維持されると共に、
前記粘着テープは、前記係止片を内方へ押し込んだ後に前記側面に生じる穴を隠蔽可能な長さに設定されていることを特徴とする梱包構造。
【請求項４】
被梱包物の下部が収納される上方開放の下箱と、前記被梱包物の上部に上緩衝材を介して被覆させる下方開放の上箱とからなる梱包構造において、
前記上箱の側面の上端開放部からは、折り曲げ部を介して、複数のフラップ片が延長されていると共に、これらフラップ片を前記折り曲げ部で内方に折り畳むことにより、前記上箱の天面が構成され、
前記フラップ片は、先に折り畳まれる内フラップ片と、前記内フラップ片の上面に重なり合うように折り畳まれる外フラップ片からなり、
前記内フラップ片と前記外フラップ片との間に、前記上箱の上端開放部に略一致する大きさ形状の板パットを介在させると共に、前記板パットに、前記内フラップ片を貫通して下方に突出する係止片を設け、
前記上緩衝材の頂面に前記係止片が抜け止め状態に差し込み可能な係止孔が形成されると共に、前記係止片を、前記内フラップ片を介して、前記係止孔に差し込むことにより、前記緩衝材は、前記上箱内にて、前記被梱包物の上部に適正な姿勢で載置可能な状態に固定されることを特徴とする梱包構造。
【請求項５】
請求項４に記載の梱包構造において、前記上箱の前記側面の所定位置に、略Ｕ字状の取手用切込みを設けると共に、前記取手用切込みで囲まれた範囲を内方へ押し込むことにより、前記上箱内に突出する爪片が構成され、
前記爪片は、前記係止片によって固定された状態にある前記上緩衝材を下方から支持可能としたことを特徴とする梱包構造。
【発明の詳細な説明】
【技術分野】
【０００１】
本発明は、ガスファンヒータ等の被梱包物を梱包する梱包構造、特に、緩衝材を介して上箱が前記被梱包物に被せられる形式の梱包構造に関するものである。
【背景技術】
【０００２】
電化製品等の被梱包物は、梱包箱内に緩衝材と共に収納されて運搬され、使用時に、使用者が、前記被梱包物を梱包箱から取り出して使用する。ファンヒータや扇風機等のように、使用時期が限定される電化製品では、不使用時には、使用者によって前記梱包箱内に再度収納され、緩衝材と共に再梱包されることが多い。
【０００３】
例えば、図６に示すものでは、梱包箱は、上箱(1)と下箱(2)とからなり、初期の梱包時には、被梱包物(4)は、先に収納されている下緩衝材(30)(30)の上に載置されて下箱(2)内に収納された後、天面が閉じられる前の上箱(1)を被梱包物(4)及び下箱(2)に被せて、上箱(1)と下箱(2)をジョイント(40)(40)で連結させている。そして、上箱(1)の上方開放部から、上緩衝材(3)(3)を被梱包物(4)の上部両端の所定位置に載置した後、上箱(1)の上端から延長形成されている四枚のフラップ片(10a)(10b)を順に折り畳んで、粘着テープ（図示せず）で上箱(1)の天面を封印する。
【０００４】
上記梱包状態にある被梱包物(4)を取り出すには、ジョイント(40)(40)を外して、上箱(1)を引き上げて、被梱包物(4)を下箱(2)から取り出せば良く、緩衝材(3)(30)は上下箱(1)(2)内に収納しておく。
【０００５】
被梱包物(4)を再梱包するには、下箱(2)内の所定位置に下緩衝材(30)(30)を設置し、その上に被梱包物(4)を載置するまでは、初期梱包と同様であるが、上箱(1)の天面は予めフラップ片(10a)(10b)と粘着テープで封印された状態にあるため、被梱包物(4)の上端に上緩衝材(3)(3)を載置した後に、上箱(1)を、上緩衝材(3)(3)及び被梱包物(4)、さらには、下箱(2)に被せなければならない。このとき、上緩衝材(3)(3)の載置位置がずれたり、落下したりすると、上箱(1)をうまく被嵌させることができず、上緩衝材(3)(3)を被梱包物(4)の上部に正しい姿勢で載置した状態を維持したまま、上箱(1)を下箱(2)に被せてジョイント(40)(40)で連結する再梱包が困難であった。
【０００６】
この再梱包時の困難性を克服するために、特開2008-62969号に開示の発明がある（特許文献１参照）。このものは、図７に示すように、上緩衝材(3)(3)が設置される側にあるフラップ片(10a)(10a)に、鍵形状折り曲げ部(19)(19)をそれぞれ設けると共に、上緩衝材(3)の側面に、前記鍵形状折り曲げ部(19)の形状に合った形状の鍵形係合孔(39)を上方及び側方に開放するように形成したものであり、前記鍵形状折り曲げ部(19)を下方へ折り曲げて、前記鍵形係合孔(39)の上方から係合させることにより、上緩衝材(3)をフラップ片(10a)の下面に固定させている。
【０００７】
こうすることにより、上緩衝材(3)(3)を上箱(1)の天面に沿った所定位置に固定することができるので、被梱包物(4)の再梱包の際に、上緩衝材(3)(3)が不用意にずれたり落下することがなく、被梱包物(4)の上部の所定位置に上緩衝材(3)(3)を正しい姿勢で載置させた態様で、上箱(1)を被嵌させることができるため、被梱包物(4)の再梱包が容易となる。
【特許文献１】特開２００８−６２９６９号公報
【発明の開示】
【発明が解決しようとする課題】
【０００８】
しかしながら、このものでは、上緩衝材(3)はフラップ片(10a)に固定されてはいるが、フラップ片(10a)自体が固定されていないため、上箱(1)を持ち上げたとき、上緩衝材(3)の自重によってフラップ片(10a)が垂れ下がってしまう。このように、フラップ片(10a)に固定するだけでは、上緩衝材(3)は上箱(1)内にて確実に安定した状態で固定されているとは言えず、フラップ片(10a)の垂れ下がりによって、上緩衝材(3)(3)の被梱包物(4)に対する姿勢や位置がずれてしまい、上箱(1)の、被梱包物(4)への正しい被嵌が困難となるといった不都合がある。
本発明は、『被梱包物の下部が収納される上方開放の下箱と、前記被梱包物の上部に上緩衝材を介して被覆させる下方開放の上箱とからなる梱包構造』において、前記下箱内に収納させた被梱包物の上部に上緩衝材を介在させながら前記上箱を被嵌させる再梱包を容易とすることを課題とする。
【課題を解決するための手段】
【０００９】
（１）上記課題を解決するための本発明の請求項１に係る発明の梱包構造は、『前記上箱の側面の上端近傍の所定位置から前記上箱の内方へ突出する係止片が設けられ、
前記上緩衝材の側面に前記係止片が差し込み可能な係止孔が形成され、
前記係止片を前記係止孔に対して斜め上方に向かって差し込むことにより、前記上緩衝材は、前記上箱内にて、前記被梱包物の上部に適正な姿勢で載置可能な状態に固定される』ことである。
上記技術的手段は次のように作用する。
上箱の側面から内方へ突出させた係止片を、上緩衝材の側面に設けた係止孔に差し込むことにより、上緩衝材を上箱内にて固定させる構成としたから、上緩衝材は、上箱の天面を構成するフラップ片に固定させるものに比べて、上箱内での固定姿勢が安定する。又、係止片は、上緩衝材の係止孔に対して斜め下方から斜め上方に向かって突き刺さる態様で係止しているから、上緩衝材の自重により不用意に落下するおそれもない。このように、上緩衝材は上箱の上端近傍の所定位置に、所定の姿勢で且つ安定した状態で固定されることとなり、前記上箱を被梱包物に被せると、上緩衝材は、被梱包物の上部に適正な姿勢で載置される態様となる。
【００１０】
（２）請求項２の発明のものは、請求項１に記載の梱包構造において、『前記側面に略逆Ｕ字状の切込みが設けられ、前記係止片は、前記切込みで囲まれた範囲を内方へ押し込むことにより構成され、
前記係止片の下方の前記側面の所定位置に、略Ｕ字状の取手用切込みが設けられ、
前記取手用切込みで囲まれた範囲を内方へ押し込むことにより、前記上箱内に突出する爪片が構成され、
前記爪片は、前記係止片によって固定された状態にある前記上緩衝材を下方から支持可能とした』もので、上箱の側面の上下の各所定位置に、略逆Ｕ字状の切込みと略Ｕ字状の取手用切込みが設けられ、上方に位置する前記略逆Ｕ字状の切込みで囲まれた範囲を、上箱内方へ僅かな角度折り曲げることにより、斜め上方に向かって突出する係止片を構成することができる。又、下方に位置する前記略Ｕ字状の取手用切込みで囲まれた範囲を上箱内方へ押し込むことにより、上箱を持ち上げる際に指を掛けるための取手用の穴が形成される。又、前記取手用切込みで囲まれた範囲が水平に位置するか又はそれ以上折り曲げることにより、前記折り曲げられた部分は、上箱内で、係止片で係止された状態にある上緩衝材の下部を下方から支持する爪片として機能する。
【００１１】
（３）請求項３の発明のものは、請求項２に記載の梱包構造において、『前記上箱の天面は、前記上箱の前記側面の上端から折り曲げ部を介して延長させた複数のフラップ片を、前記折り曲げ部で内方に折り畳むことにより構成され、
前記フラップ片は、粘着テープの貼着によって折り畳み状態が維持されると共に、
前記粘着テープは、前記係止片を内方へ押し込んだ後に前記側面に生じる穴を隠蔽可能な長さに設定されている』ものでは、上箱に設けられているフラップ片を順に折り畳むことにより、上箱の天面が閉塞される態様となり、その閉塞状態が維持されるように、粘着テープを貼着させる。この貼着テープを側面まで延長させて貼着させることにより、前記係止片を内方へ押し込んだ後にできる穴は前記粘着テープで隠蔽される。
【００１２】
（４）請求項４の発明のものは、上記課題と同様な課題を解決するために講じたものであり、『被梱包物の下部が収納される上方開放の下箱と、前記被梱包物の上部に上緩衝材を介して被覆させる下方開放の上箱とからなる梱包構造において、
前記上箱の側面の上端開放部からは、折り曲げ部を介して、複数のフラップ片が延長されていると共に、これらフラップ片を前記折り曲げ部で内方に折り畳むことにより、前記上箱の天面が構成され、
前記フラップ片は、先に折り畳まれる内フラップ片と、前記内フラップ片の上面に重なり合うように折り畳まれる外フラップ片からなり、
前記内フラップ片と前記外フラップ片との間に、前記上箱の上端開放部に略一致する大きさ形状の板パットを介在させると共に、前記板パットに、前記内フラップ片を貫通して下方に突出する係止片を設け、
前記上緩衝材の頂面に前記係止片が抜け止め状態に差し込み可能な係止孔が形成されると共に、前記係止片を、前記内フラップ片を介して、前記係止孔に差し込むことにより、前記緩衝材は、前記上箱内にて、前記被梱包物の上部に適正な姿勢で載置可能な状態に固定される』ことを特徴としている。
【００１３】
このものでは、前記上箱の上端開放部の大きさ形状に略一致する板パットを、内フラップ片と外フラップ片との間に介在させ、前記板パットから下方へ突出させる係止片を、前記内フラップ片を貫通させた後、前記上緩衝材の係止孔に抜け止め状態に差し込む構成となっている。
【００１４】
板パットは、前記上箱の上端開放部に略一致する大きさ形状に形成されてあるから、これを内フラップ片の上に載置すると、板パットは内フラップ片の基端部で支えられるため、不用意に上箱内に落下することはない。また、係止片は上緩衝材の上面に形成された係止孔に対して、抜け止め状態に差込可能に設定されているから、上緩衝材が係止片から不用意に落下することはない。
【００１５】
このように、上緩衝材は上箱の上端近傍の所定位置に、所定の姿勢で且つ安定した状態で固定されることとなり、前記上箱を被梱包物に被せると、上緩衝材は、被梱包物の上部に適正な姿勢で載置される態様となる。
【００１６】
（５）請求項５の発明のものは、請求項４に記載の梱包構造において、『前記上箱の前記側面の所定位置に、略Ｕ字状の取手用切込みを設けると共に、前記取手用切込みで囲まれた範囲を内方へ押し込むことにより、前記上箱内に突出する爪片が構成され、
前記爪片は、前記係止片によって固定された状態にある前記上緩衝材を下方から支持可能とした』もので、上箱の側面に、上箱を持ち上げる際に指を引っ掛けるための取手用の穴が形成され、前記取手用切込みで囲まれた範囲は、上箱内で爪片となって、係止片で係止された状態にある上緩衝材の下部を下方から支える部品として機能させることができる。
【発明の効果】
【００１７】
本発明は、上記構成であるから次の特有の効果を有する。
請求項１のものでは、上緩衝材を、上箱内の所定位置に、所定の姿勢で且つ安定した状態で固定させることができ、その状態を維持したまま、前記上箱を被梱包物に被せて再梱包することができる。よって、再梱包の際に、上緩衝材が被梱包物に対してずれたり落下したりすることがなく、上緩衝材を被梱包物の上部に適正な姿勢で載置させた状態で上箱を下箱に被嵌させることができるから、被梱包物の再梱包が容易となる。
【００１８】
請求項２のものでは、上緩衝材は係止片で支持されると同時に、爪片によってもその下方から支持される態様となるから、上箱内における上緩衝材の固定がより安定したものとなる。よって、再梱包の作業性をさらに向上させることができる。
【００１９】
請求項３のものでは、係止片を構成するために、係止片を内方へ押し込んだ後にできる穴は貼着テープ隠蔽させることができるから、再梱包時の外観を向上させることができる。
【００２０】
請求項４のものでは、係止片を突設させている板パットは内フラップ片の基端部に載置され、上箱内に落下するものではないから、請求項１の効果と同様に、上緩衝材を上箱内の所定位置に安定した状態で固定させることができ、その状態を維持することができる。よって、再梱包の際に、上緩衝材が被梱包物に対してずれたり落下したりすることがなく、上緩衝材を被梱包物の上部に適正な姿勢で載置させた状態で上箱を下箱に被嵌させることができるから、被梱包物の再梱包が容易となる。
【００２１】
請求項５のものでは、請求項４に記載の効果に加えて上緩衝材は、係止片だけでなく前記爪片によっても支持される態様となるから、上箱内における上緩衝材の固定がより安定したものとなる。よって、上緩衝材及び上箱の被梱包物への被嵌が一層確実なものとなり、再梱包の作業性をさらに向上させることができる。
【発明を実施するための最良の形態】
【００２２】
以下に、本発明を実施するための最良の形態について添付図面を参照しながら説明する。
図１に示すものは、本発明実施の形態の梱包構造の分解斜視図であり、特に、被梱包物(4)として、ガスファンヒーター(41)の出荷時における梱包の様子を示している。尚、図２は、梱包完了時の要部拡大断面図である。
【００２３】
ガスファンヒーター(41)である被梱包物(4)を梱包するには、まず、被梱包物(4)の下部域を一対の下緩衝材(30)(30)と共にしての下箱(2)内に収納する。
【００２４】
下箱(2)は、段ボールからなる上方開放の矩形箱であり、同じく段ボールを折り畳んで構成された一対の下緩衝材(30)(30)が下箱(2)の短辺にそれぞれ沿うように収納される。
【００２５】
下緩衝材(30)(30)は、それぞれ、下箱(2)の内方側に開放するように段部(31)が形成されてあり、この段部(31)(31)に、被梱包物(4)の両側下端部をそれぞれ載置する。前記段部(31)から、下箱(2)の底面に接している下緩衝材(30)の下端までは所定の高さを有しているから、下緩衝材(30)(30)の段部(31)(31)に載置させた状態の被梱包物(4)の下面と、下箱(2)の底面との間には、前記高さを有する空間が形成される。この空間内に、器具の取扱説明書(42)等の附属品が収納される。
【００２６】
次に、天面を閉じる前の上箱(1)を被梱包物(4)と下箱(2)に被せ、上箱(1)と下箱(2)をジョイント(40)(40)で連結させる。
【００２７】
この実施の形態の上箱(1)は、上方及び下方に開放している矩形筒状体であり、長方形状の上端開放部を構成している各辺のうち、両短辺側には一対の内フラップ片(11a)(11a)が、両長辺側には一対の外フラップ片(11b)(11b)が、それぞれ折り曲げ部(12)を介して、延長形成されている。
【００２８】
上箱(1)の、前記内フラップ片(11a)(11a)が延長されている両側面(13)(13)の上端近傍には、略逆Ｕ字状の切込み(20)と、その下方に、扁平な略Ｕ字状の切込み(21)が形成されてある。
【００２９】
切込み(20)は、上辺よりも下辺が短い台形状に形成されてあり、前記下辺に沿って、切込み(20)で囲まれた範囲を上箱(1)の内方へ押し込むことにより、前記側面(13)の上端近傍には、前記台形状の穴(22a)と、前記穴(22a)の下辺から、前記穴(22a)と同じ台形状の係止片(23)が上箱(1)の内方に突出される。
【００３０】
又、下方の切込み(21)を内方へ押し込むことにより、上箱(1)を持ち上げる際に指を差し込む、取手用の穴(22b)が形成される。
【００３１】
上記構成の上箱(1)を、前記内外フラップ片(11a)(11b)を折り曲げ部(12)で内方に折り畳む前に、その上端開放部から、上緩衝材(3)(3)を前記上箱(1)内に入れて、被梱包物(4)の両側上端部に適正な姿勢で載置する。
【００３２】
上緩衝材(3)の、前記側面(13)に沿って位置する側面(32)の所定位置には、前記係止片(23)が差込可能な係止孔(33)が形成されている。係止孔(33)の横幅は、係止片(23)の先端部側の辺の長さよりも短く且つ基端部側の辺の長さ以上に設定されてあり、前記係止片(23)を係止孔(33)に強制的に差し込んで、係止孔(33)の上辺を、係止片(23)の基端部に係止させる。このとき、係止片(23)は、図２に示すように、係止孔(33)に対して、斜め下方から斜め上方に向かって突き刺さるように係止され、係止片(23)の先端部が、上緩衝材(3)の頂面を裏側から支える態様となる。これにより、上緩衝材(3)は上箱(1)内にて安定した状態に固定される。
【００３３】
さらに、下方の取手用の切込み(21)で囲まれた範囲を内方へ押し込むことにより、上箱(1)の内方に突出する爪部(26)を構成することができ、この爪部(26)で、上緩衝材(3)の底面を下方から支持させる。
【００３４】
このように、上緩衝材(3)(3)は、被梱包物(4)の上部に適正な姿勢で載置されるように位置決めされた状態で、前記係止片(23)及び爪部(26)によって、上箱(1)内にて安定した状態にて固定され、この状態が維持されることとなる。
【００３５】
上述したように、上緩衝材(3)を上箱(1)の上端開放部近傍の所定位置に固定させた後、前記内フラップ片(11a)(11a)を内方へ折り畳み、続いて、外フラップ片(11b)(11b)を内フラップ片(11a)(11a)の上に重なるように折り畳んで、外フラップ片(11b)(11b)の対向し合っている端縁相互を粘着テープ(15)で同時に貼着させて上箱(1)の天面を封印する。
【００３６】
このとき、粘着テープ(15)の長さは、図２に示すように、その両端で、両側面(13)(13)に開口している穴(22a)(22a)を覆う長さに設定されてあり、粘着テープ(15)によって、前記穴(22a)(22a)は隠蔽される。
【００３７】
これで、被梱包物(4)の初期梱包は完了する。
上記梱包状態にある被梱包物(4)を取り出すには、ジョイント(40) (40)を外し、取手用の穴(22b)(22b)に指を差し込んで、上箱(1)を引き上げる。これにより、上箱(1)と上緩衝材(3)(3)が同時に取り外される。後は、被梱包物(4)を下箱(2)から取り出せば良い。
【００３８】
被梱包物(4)を取り出した後でも上緩衝材(3)(3)は上箱(1)の両短辺側の上端近傍に固定されたままであり、下緩衝材(30)(30)は下箱(2)内の所定位置に収納されたままである。
【００３９】
被梱包物(4)を再梱包するには、下箱(2)内の下緩衝材(30)(30)上に被梱包物(4)を載置し、その上から上箱(1)を被せるだけでよい。上箱(1)の天面は内外フラップ片(11a)(11b)で閉塞されてあり且つ両短辺側の上端近傍には上緩衝材(3)(3)が所定位置に固定されたままであり、その固定状態は不用意にずれたり落下したりすることはなく安定した状態が維持されるから、上箱(1)を被梱包物(4)に被せるだけで、被梱包物(4)の両側上端部に上緩衝材(3)(3)が適正な姿勢で載置される態様で、上箱(1)を下箱(2)にまで被せることができる。そして、ジョイント(40)(40)で上箱(1)と下箱(2)を結合すれば、被梱包物(4)の再梱包が終了する。
【００４０】
図３に示すものは、本発明の第２番目の実施の形態の梱包構造の分解斜視図である。
この実施の形態でも、ガスファンヒーター(41)である被梱包物(4)は、上述した第１番目の実施の形態と同様に、下緩衝材(30)(30)の段部(31)(31)上に載置される態様で下箱(2)内に収納され、被梱包物(4)の両側上端部に上緩衝材(3)(3)を載置させた後に、その上から上箱(1)を被せる梱包構造であるが、この実施の形態では、上緩衝材(3)(3)は、上箱(1)の両側面(13)(13)からではなく、別途設けた板パット(24)から下方へ突出させる係止片(25)(25)によって支持される態様とする。
【００４１】
上箱(1)の上端開放部は、短辺側の内フラップ片(11a)(11a)と長辺側の外フラップ片(11b)(11b)で閉塞され、前記内フラップ片(11a)の基端部中央には、矩形の貫通孔(14)が形成されている。尚、前記両側面(13)(13)の上部近傍の所定位置には、図４に示すように、第１番目の実施の形態と同様、取手用の切込み(21)が形成されている。
【００４２】
又、上緩衝材(3)の頂面(34)には、前記内フラップ片(11a)の基端部側に開放するように、係止孔(35)が形成されている。
【００４３】
この実施の形態における被梱包物(4)の初期梱包では、被梱包物(4)の両側下端部を、下箱(2)内に収納されている下緩衝材(30)(30)上に載置した後、被梱包物(4)の両側上端部に、上緩衝材(3)(3)を載置させ、その上から、上端開放部が開放した状態の上箱(1)を被せて、ジョイント(40)(40)で下箱(2)と連結させる。
【００４４】
その状態で、内フラップ片(11a)(11a)を折り曲げ部(12)(12)で上箱(1)の内方へ折り曲げると、図４に示すように、内フラップ片(11a)は上緩衝材(3)の頂面(34)の上方に略平行に位置する態様となり、貫通孔(14)から、係止孔(35)とその周辺の上緩衝材(3)の頂面(34)が露出する。
【００４５】
そして、内フラップ片(11a)(11a)の上に、板パット(24)を載置する。
板パット(24)は、上箱(1)の上端開放部の大きさ形状に略一致する長方形の段ボールからなる板状体であり、その短辺側の中央に一対の切込みを入れることにより、その切込みで囲まれた範囲をその基端部で下方に折り曲げて、前記係止孔(35)に差し込むための係止片(25)として機能させる。前記係止片(25)の形状は、基端部側よりも先端側の辺が長くなるような台形状に形成されてあり、前記先端側の辺の長さは、上緩衝材(3)の頂面(34)に形成した係止孔(35)の幅よりも長く設定されている。
【００４６】
そして、板パット(24)を、内フラップ片(11a)(11a)の上に載置し、その係止片(25)(25)をそれぞれ、内フラップ片(11a)の貫通孔(14)を介して、上緩衝材(3)の係止孔(35)に強制的に差し込むと、係止片(25)は係止孔(35)に対して抜け止め状態に係止され、図５に示すように、その先端が上緩衝材(3)の側面を内側から支持する態様で、上緩衝材(3)は、上箱(1)の短辺側の上端近傍に固定されることとなる。
尚、板パット(24)は、内フラップ片(11a)(11a)の基端部を含む上箱(1)の上端開放部に載置されているから、板パット(24)が上箱(1)内に落下することはない。
【００４７】
この状態にて、取手用の切込み(21)で囲まれた範囲を内方へ押し込むことにより構成される爪部(26)で、上緩衝材(3)の底面を下方から支持させれば、上箱(1)内における上緩衝材(3)(3)の固定をより安定させることができる。
【００４８】
上緩衝材(3)(3)を板パット(24)の係止片(25)(25)で、上箱(1)内の所定位置に固定した後、前記板パット(24)の上に重なるように、外フラップ片(11b)(11b)を折り畳み、外フラップ片(11b)(11b)が開かないように、粘着テープ(15)で貼着させれば、被梱包物(4)の梱包が完成する。
【００４９】
上記梱包状態にある被梱包物(4)を取り出すには、第１番目の実施の形態と同様に、ジョイント(40) (40)を外し、爪部(26)を押し込むことによって形成された取手用の穴(22b)(22b)に指を差し込んで、上箱(1)を引き上げると、上箱(1)と上緩衝材(3)(3)が同時に被梱包物(4)から取り外される。上緩衝材(3)(3)は上箱(1)の両短辺側の上端近傍に固定されたままとなり、上箱(1)内でずれたり落下したりすることはない。
【００５０】
よって、被梱包物(4)を再梱包するには、下箱(2)内の下緩衝材(30)(30)上に被梱包物(4)を載置し、その上から上箱(1)を被せるだけで、被梱包物(4)の両側上端部に、上緩衝材(3)(3)を正しい姿勢で載置させた状態で、上箱(1)を下箱(2)に被せることができ、ジョイント(40)(40)で上箱(1)と下箱(2)を結合すれば、被梱包物(4)の再梱包が終了する。
【００５１】
上記各実施の形態では、初期梱包の際に、上緩衝材(3)(3)は、上箱(1)を引き上げても、上箱(1)内の所定位置に初期姿勢での固定状態が維持され、不用意にずれたり落下したりすることがない。よって、再梱包の際には、上箱(1)を被梱包物(4)に被せるだけで、被梱包物(4)の両側上端部に上緩衝材(3)(3)を正しい姿勢で載置させることができ、そのまま、上箱(1)と下箱(2)を連結させることができるので、被梱包物(4)の再梱包が容易となる。
尚、上記実施の形態の梱包構造は、被梱包物(4)としてなんら限定されるものではないが、ガスファンヒーターのように、特定の季節にのみ使用される電化製品等の梱包に利用すると、不使用時の収納の際に再梱包が容易であるから、特に有効である。
【図面の簡単な説明】
【００５２】
【図１】本発明の第１番目の実施の形態の梱包構造の分解斜視図。
【図２】本発明の第１番目の実施の形態の梱包構造の梱包状態を示す要部拡大断面図。
【図３】本発明の第２番目の実施の形態の梱包構造の分解斜視図。
【図４】本発明の第２番目の実施の形態の梱包構造の梱包途中の様子を示す要部の斜視図。
【図５】本発明の第２番目の実施の形態の梱包構造の梱包状態を示す要部拡大断面図。
【図６】従来の梱包構造の分解斜視図。
【図７】他の従来の梱包構造の説明図。
【符号の説明】
【００５３】
(1) ・・・・・・・上箱
(13)・・・・・・・側面
(23)・・・・・・・係止片
(2) ・・・・・・・下箱
(3) ・・・・・・・上緩衝材
(33)・・・・・・・係止孔
(4) ・・・・・・・被梱包物
【図１】
2009274749.tif 000003
【図２】
2009274749.tif 000004
【図３】
2009274749.tif 000005
【図４】
2009274749.tif 000006
【図５】
2009274749.tif 000007
【図６】
2009274749.tif 000008
【図７】
2009274749.tif 000009